(57)【特許請求の範囲】
【請求項１】
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局が送信する通話信号には音声信号と送信元の移動局を特定する送信元識別子とが含まれるよう構成された無線通信システムであって、
前記基地局を介する移動局間の通話を行う場合において、
前記基地局は、
第１の周波数を用いて前記移動局に通話信号を送信し、前記第１の周波数と異なる第２の周波数を用いて前記移動局から通話信号を受信するととともに、
送信元の移動局からの前記第２の周波数を用いた通話信号に対する折り返し信号を、前記第１の周波数を用いて送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合は、自局のスピーカおよびレシーバからの音声出力を行うことを特徴とする無線通信システム。
【請求項２】
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局又は前記指令台が送信する通話信号には音声信号と送信元の移動局又は指令台を特定する送信元識別子とが含まれるよう構成された無線通信システムであって、
前記移動局と前記指令台との間の通話を行う場合において、
前記基地局は、
第１の周波数を用いて前記移動局に通話信号を送信し、前記第１の周波数と異なる第２の周波数を用いて前記移動局から通話信号を受信し、
送信元の移動局からの前記第２の周波数を用いた通話信号を受信して該受信した通話信号を前記指令台へ送信するとともに、前記指令台からの通話信号を受信中でないときは、前記移動局から受信した通話信号に対する折り返し信号を前記第１の周波数を用いて送信し、前記指令台からの通話信号を受信中のときは、前記折り返し信号の送信を行わずに、前記指令台から受信した通話信号を前記第１の周波数を用いて前記移動局に送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合において、自局が送信中の状態にある場合は、自局のスピーカからの音声出力を切断し自局のレシーバからの音声出力を行い、自局が送信中の状態にない場合は、自局のスピーカおよびレシーバからの音声出力を行うことを特徴とする無線通信システム。
【請求項３】
請求項１または請求項２に記載の無線通信システムであって、
前記移動局は、前記基地局を介して受信した通話信号に含まれる送信元識別子が自局の送信元識別子と同一であるか否か不明の場合において、自局が送信中の状態にある場合は、自局のスピーカからの音声出力を切断し、自局のレシーバからの音声出力の音量を、前記受信した通話信号に含まれる送信元識別子が自局の送信元識別子と異なる場合のレシーバの音量よりも低減し、自局が送信中の状態にない場合は、レシーバの音量を低減することなく自局のスピーカおよびレシーバからの音声出力を行うことを特徴とする無線通信システム。
【発明の詳細な説明】
【技術分野】
【０００１】
本発明は、基地局を介して移動局と移動局との間の無線通話や、基地局を介して移動局と指令台との間の無線通話等を行う無線通信システムに関し、移動局が発信した通話音声が基地局で折り返して送信され、これを自局で受信してスピーカ出力することにより発生するハウリングを抑制することのできるデジタル移動通信システムに関するものである。
【背景技術】
【０００２】
図１に本技術分野に関する無線通信システムの概略構成例を示す。この無線通信システムにおいては、音声データを伝送するチャネル１つに対して１つのキャリアを割り当てるＳＣＰＣ方式（Single Channel Per Carrier）が用いられている。ＳＣＰＣ方式のデジタル無線システムは、例えば、デジタル通信方式標準規格ＡＲＩＢ ＳＴＤ−Ｔ６１で規定されている。
図１のシステムでは、指令台（統制卓、通信卓ともいう。）１０と、回線制御装置２０と、複数の基地局３０（１）〜３０（２）と、車載機（車載無線機）である複数の移動局４０（１）〜４０（４）及び携帯機（携帯無線機）である移動局４０（５）とを備えている。指令台１０と回線制御装置２０は、有線の伝送路５により接続され、回線制御装置２０と基地局３０は、有線あるいはマイクロ回線等の伝送路４により接続されている。なお、基地局を代表する場合は基地局３０と称し、移動局を代表する場合は移動局４０と称する。
【０００３】
基地局３０と移動局４０は無線により接続可能となっており、指令台１０と移動局４０、および移動局４０同士は、基地局３０を介する基地局通信により通話接続される。また、移動局４０同士は、基地局３０を介さない移動局間直接通信により接続可能となっている。図１では、指令台１０と移動局４０（１）、および移動局４０（２）と移動局４０（５）が基地局通信により接続され、移動局４０（３）と移動局４０（４）が移動局間直接通信により接続されている。
【０００４】
基地局３０は、それぞれ通信ゾーン（あるいは通信エリアとも言う。）を有し、例えば、基地局３０（１）は通信ゾーン１を有するが、周波数の制約により、通信ゾーン１内の複数の移動局４０に対し、同一の送信周波数（基地局から移動局への下り信号周波数：Ｆ１）を用いて送信を行い、また、同一の受信周波数（移動局から基地局への上り信号周波数：Ｆ２）を用いて受信を行うよう構成されている。このように、基地局を介する基地局通信においては、同時に双方向の通信を行う複信通信が可能となっている。
また、移動局間直接通信においては、上りと下りの双方向に周波数Ｆ３が使用され、同時に一方向のみの通信が可能である単信通信が行われる。
【０００５】
各移動局４０は、それぞれ、スピーカとレシーバとを備え、スピーカは、指令台１０や他の移動局４０から受信した音声信号を、周囲に聞こえるように大音量で音声出力し、レシーバは、指令台１０や他の移動局４０から受信した例えば会話の音声信号を、周囲に聞こえない程度の小音量で、少なくともスピーカよりも小音量で音声出力する。
【０００６】
また、この無線通信システムでは、移動局４０から他の移動局４０への基地局通信においては、例えば、通信ゾーン１内の移動局４０から同じ通信ゾーン１内の他の移動局４０への基地局通信においては、送信元の移動局４０が送信した音声信号を、基地局３０で折り返して通信ゾーン１内の全ての移動局４０へ送信するように構成されている。これは、移動局４０から基地局３０への上り信号周波数が１波（周波数Ｆ２）のみであることから、ある移動局４０が既に通話中の場合、他の移動局４０が送信できないことを他の移動局４０へ知らせるためであり、また、通話内容を他の移動局４０へ知らせるためでもある。このため、移動局間の基地局通信においては、実質的に複信通信が不可能であり、単信通信が行われる。
また、移動局４０と指令台１０との間の通話においては、指令台１０が送信を行っているときは、移動局４０からの音声信号を基地局３０で折り返しせず、指令台１０からの送信が行われていないときは、移動局４０からの音声信号を基地局３０で折り返すように構成されている。
【０００７】
このように、移動局間の基地局通信等においては基地局で折り返しが行われるので、送信元の移動局４０が自局のマイクとスピーカを動作可能状態（ＯＮ状態）にすると、自局で送信した音声が折り返されるために、ハウリングを起こすおそれがある。
下記の特許文献１には、ＡＲＩＢ ＳＴＤ−Ｔ６１に基づくＳＣＰＣ方式のデジタル無線システムが記載されている。
【先行技術文献】
【特許文献】
【０００８】
【特許文献１】特開２０１１‐７１７０３公報
【発明の概要】
【発明が解決しようとする課題】
【０００９】
上述した無線通信システムにおいては、移動局４０から他の移動局４０への基地局通信等において、送信元の移動局４０が自局のマイクとスピーカをＯＮ状態にすると、自局で送信した音声が折り返されるために、ハウリングや話し辛さを起こすおそれがある。
本発明は、このような背景技術の課題を解決するために為されたもので、移動局から他の移動局への基地局通信や、移動局と指令台間の基地局通信において、ハウリング又は話し辛さを防止することができる無線通信システムを提供することを目的とする。
【課題を解決するための手段】
【００１０】
上記課題を解決するための、本願発明の無線通信システムの代表的な第１の構成は、次のとおりである。すなわち、
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局が送信する通話信号には音声信号と送信元の移動局を特定する送信元識別子とが含まれるよう構成された無線通信システムであって、
前記基地局を介する移動局間の通話を行う場合において、
前記基地局は、
第１の周波数を用いて前記移動局に通話信号を送信し、前記第１の周波数と異なる第２の周波数を用いて前記移動局から通話信号を受信するととともに、
送信元の移動局からの前記第２の周波数を用いた通話信号に対する折り返し信号を、前記第１の周波数を用いて送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合は、自局のスピーカおよびレシーバからの音声出力を行うことを特徴とする無線通信システム。
【００１１】
また、本願発明の無線通信システムの代表的な第２の構成は、次のとおりである。すなわち、
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局又は前記指令台が送信する通話信号には音声信号と送信元の移動局又は指令台を特定する送信元識別子とが含まれるよう構成された無線通信システムであって、
前記移動局と前記指令台との間の通話を行う場合において、
前記基地局は、
第１の周波数を用いて前記移動局に通話信号を送信し、前記第１の周波数と異なる第２の周波数を用いて前記移動局から通話信号を受信し、
送信元の移動局からの前記第２の周波数を用いた通話信号を受信して該受信した通話信号を前記指令台へ送信するとともに、前記指令台からの通話信号を受信中でないときは、前記移動局から受信した通話信号に対する折り返し信号を前記第１の周波数を用いて送信し、前記指令台からの通話信号を受信中のときは、前記折り返し信号の送信を行わずに、前記指令台から受信した通話信号を前記第１の周波数を用いて前記移動局に送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合において、自局が送信中の状態にある場合は、自局のスピーカからの音声出力を切断し自局のレシーバからの音声出力を行い、自局が送信中の状態にない場合は、自局のスピーカおよびレシーバからの音声出力を行うことを特徴とする無線通信システム。
【発明の効果】
【００１２】
上記第１の構成によれば、移動局から他の移動局への基地局通信において、ハウリング又は話し辛さを防止することができる。また、上記第２の構成によれば、移動局と指令台間の基地局通信において、ハウリング又は話し辛さを防止することができる。
【図面の簡単な説明】
【００１３】
【図１】本発明の実施形態に係る無線通信システムの概略構成例を示す図である。
【図２】本発明の実施形態に係る指令台と回線制御装置と基地局の構成を示す図である。
【図３】本発明の実施形態に係る移動局の構成を示す図である。
【図４】本発明の実施形態に係る移動局の動作を示す図である。
【発明を実施するための形態】
【００１４】
以下、本発明の実施形態について図１〜図４を用いて説明する。図１は、背景技術の説明で述べたように、本技術分野に関する無線通信システムの概略構成例であり、本発明の実施形態に係る無線通信システムの概略構成例を示す図である。背景技術で述べた点は説明を省略する。
図１の例では、基地局３０（１）〜３０（２）は２つであるが、１つ以上であればよい。また、移動局は２つ以上であればよい。
基地局３０（１）は、送信周波数Ｆ１（下り：基地局から移動局へ）の送信部と、受信周波数Ｆ２（上り：移動局から基地局へ）の受信部とから構成される送受信部を有する。基地局３０（２）は、送信周波数Ｆ４（下り：基地局から移動局へ）の送信部と、受信周波数Ｆ２（上り：移動局から基地局へ）の受信部とから構成される送受信部を有する。送信周波数Ｆ４は、送信周波数Ｆ１と同一周波数とすることも可能である。
【００１５】
また、移動局４０（３）と移動局４０（４）との間の移動局間直接通信においては、上りと下りの双方向に周波数Ｆ３が使用されているが、本実施形態においては、周波数Ｆ３を、移動局から基地局への上り周波数Ｆ２と同一周波数にしている。このようにすると、周波数の節約ができ、また、例えば移動局４０（４）は、基地局エリア（通信ゾーン１）内では周波数Ｆ２で基地局通信を行い、基地局エリア外でも周波数Ｆ２で直接通信を行うことが可能になるので、移動局４０は、基地局エリアの圏内か圏外かを意識する必要がなくなるという利点がある。
【００１６】
本実施形態の無線通信システムにおいては、指令台１０から移動局４０への通話要求があった場合、あるいは、移動局４０から指令台１０や他の移動局４０への通話要求があった場合に、送信側と受信側との間で受信の同期をとるための同期信号（同期バースト；ＳＢ(Synchronous Burst)）とともに音声データを無線通信する非常送方式が用いられている。
図１の無線通信システムは、例えば消防救急用無線通信システムであり、車載機４０は消防車又は救急車に搭載された無線機であり、通信ゾーンの大きさは半径数ｋｍ〜数十ｋｍ程度である。
【００１７】
図２は、本発明の実施形態における指令台１０、回線制御装置２０、および基地局３０の概略構成を示すブロック図である。なお、回線制御装置２０の機能を指令台１０に組み込むように構成することもできる。
指令台１０は、ＣＰＵ等で構成された制御部１１、記憶部１２、表示部１３、操作部１４、音声を出力するスピーカ１５、操作者の音声が入力されるマイク１６で構成される。操作部１４は、ＰＴＴ（Push To Talk）による通話を行うためのＰＴＴボタンや通話を終了するための終話ボタン等を有する。制御部１１は、指令台１０の各構成部を制御する。記憶部１２は、制御部１１のＣＰＵが動作する動作プログラムを記憶しており、制御部１１のＣＰＵは、記憶部１２から動作プログラムを読み出して動作する。
指令台１０は、マイク１６とスピーカ１５を用いて基地局３０を介して移動局４０との間で、移動局４０への指令等に関する通話を行う、つまり通話信号を交信する。
【００１８】
回線制御装置２０は、ＣＰＵ等で構成された制御部２１および記憶部２２で構成され、制御部２１は、基地局３０を介する移動局４０間の通話回線と、移動局４０と指令台１０との間の通話回線とを切替制御し、また、指令台１０からの、あるいは移動局４０からの発呼(call)制御等の制御を行うものである。
回線制御装置２０の記憶部２２は、制御部２１のＣＰＵが動作する動作プログラムを記憶しており、制御部２１のＣＰＵは、記憶部２２から動作プログラムを読み出して動作する。
【００１９】
次に、基地局３０の構成について説明する。基地局３０は、基地局送信部３３、基地局受信部３４、ＣＰＵ等で構成された制御部３１、および記憶部３２で構成されており、制御部３１は、基地局３０の各構成部を制御する。記憶部３２は、制御部３１のＣＰＵが動作する動作プログラムを記憶しており、制御部３１のＣＰＵは、記憶部３２から動作プログラムを読み出して動作する。
基地局送信部３３は、指令台１０からの通話信号や前述の折り返し信号を無線周波数Ｆ１で移動局４０に送信する。また、基地局受信部３４は、移動局４０から無線周波数Ｆ２で送られてくる通話信号を受信する。
【００２０】
当該基地局３０が回線制御装置２０を介して指令台１０から移動局４０への音声信号を含む通話信号を受信中でない場合は、制御部３１は、移動局４０からの音声信号を含む通話信号を基地局受信部３４により周波数Ｆ２で受信すると、該移動局４０からの通話信号を、基地局送信部３３により周波数Ｆ１で折り返し送信するとともに、回線制御装置２０へ送信するよう制御する。通話信号を受信した回線制御装置２０は、該通話信号を指令台１０や他の基地局３０へ送信し、他の基地局３０においても、通話信号が基地局送信部３３により周波数Ｆ１で無線送信される。つまり、指令台１０から移動局４０への通話信号を受信中でない場合は、移動局４０から受信した通話信号は、全ての基地局３０から折り返し送信される。
また、この場合、制御部３１は、回線制御装置２０を介して他の基地局３０から通話信号を受信すると、該他の基地局３０からの通話信号を基地局送信部３３から送信するように制御する。
また、当該基地局３０が回線制御装置２０を介して指令台１０から移動局４０への通話信号を受信中の場合は、制御部３１は、受信した指令台１０からの通話信号を基地局送信部３３から送信するように制御する。このとき、移動局４０からの通話信号を基地局受信部３４により周波数Ｆ２で受信しても、該移動局４０からの通話信号を折り返し送信せず、また、回線制御装置２０へも送信しない。
【００２１】
次に、移動局４０の構成について図３を用いて説明する。図３は、移動局４０の概略構成を示すブロック図である。移動局４０は、車載機４０（１）〜４０（４）や、携帯機４０（５）を代表する移動局である。図３で示す移動局４０は、上り方向無線キャリア（周波数Ｆ２）および下り方向無線キャリア（周波数Ｆ１）のペアの基地局波が用いられ、基地局３０を介して同時送受波ができる複信方式の無線通信装置である。つまり、指令台１０との個別通信を、後述する送信部４３と第１受信部４４を用いて、複信により行う構成となっている。また、この移動局４０は、他の移動局４０との間で基地局３０を介さずに単信方式により直接通信を行う無線通信装置である。つまり、移動局間直接通信を、後述する送信部４３と第２受信部４５を用いて、無線キャリア（周波数Ｆ２）で単信により行う構成となっている。
【００２２】
図３において、４１は移動局４０の各構成部を制御する制御部、４２は制御部４１と接続された記憶部である。記憶部４２は、制御部４１のＣＰＵが動作する動作プログラムを記憶しており、制御部４１のＣＰＵは、記憶部４２から動作プログラムを読み出して動作する。
また、４３は送信部、４４は基地局３０からの基地局波（周波数Ｆ１）を受信する第１受信部、４５は他の移動局４０からの直接波（周波数Ｆ２）を受信する第２受信部、４６は同時に送受信を行うため送受信経路を分離するアンテナ共用器、４７は基地局３０との送受信や他の移動局４０との直接通信を行うためのアンテナ、４８は、マイク５２から入力された音声信号を符号化し、第１受信部や第２受信部で受信された音声信号を復号化する音声符号化／復号化部、４９は音声や音を出力するスピーカである。音声符号化／復号化部４８は、制御部４１内に組み込んで構成することも可能である。送信部４３、第１受信部４４、第２受信部４５は、それぞれ、制御部４１とアンテナ共用器４６に接続されている。
【００２３】
５０はハンドセットであり、音声や音を出力するレシーバ５１、音声を入力するマイク５２、操作者からの入力を受け付ける操作部５３、各種表示を行うＬＣＤやＬＥＤ等から構成される表示部５４を有する。操作部５３と表示部５４は、制御部４１に接続されている。
操作部５３は、ＰＴＴ（Push To Talk）による通話を行うためのＰＴＴボタンや通話を終了するための終話ボタン等を有する。例えば、操作部５３で相手先を選択してＰＴＴボタンを一端押下し、相手先から応答を受信することにより通話状態に入る。通話状態においてＰＴＴボタンを押している状態で、マイク５２から音声入力されると、その音声信号が送信部４３から通話信号として送信される。通話状態で終話ボタンを押下することにより通話状態が終了する。
５５はレシーバ５１への音声信号を減衰させるための可変抵抗である。スピーカ４９は、ＳＷ１を介して音声符号化／復号化部４８と接続され、レシーバ５１は、可変抵抗５５とＳＷ２を介して音声符号化／復号化部４８と接続され、マイク５２は、ＳＷ３を介して音声符号化／復号化部４８と接続されている。
【００２４】
スピーカ４９、レシーバ５１、マイク５２は、それぞれＳＷ１〜ＳＷ３において独立して、制御部４１により電気的に接続（ＯＮ）又は切断（ＯＦＦ）されるように構成されている。ＯＮ状態では、制御部４１から音声符号化／復号化部４８を経てスピーカ４９、レシーバ５１に音声信号が伝送されて、スピーカ４９、レシーバ５１から音声が出力され、また、マイク５２からの音声信号が音声符号化／復号化部４８を経て制御部４１へ伝送される。ＯＦＦ状態では、スピーカ４９、レシーバ５１から音声が出力されず、また、マイク５２からの音声信号が入力されない。
また、可変抵抗５５は、その抵抗値が変化するように制御部４１により制御される。可変抵抗５５の抵抗値を変化させることにより、レシーバ５１から出力される音量を低減するなど、音量調整することができる。
【００２５】
移動局４０において、マイク５２から入力される音声信号は、音声符号化／復号化部４８で符号化され、制御部４１で送信のための所定の信号処理を施した後、送信部４３に入力される。送信部４３に入力された信号は、送信のための所定の変調がなされ、所定の送信周波数Ｆ２に変換され、アンテナ共用器４６を介してアンテナ４７から出力され、基地局３０や他の移動局４０へ送信される。
【００２６】
一方、基地局３０の基地局送信部３３からの無線キャリア（周波数Ｆ１）は、アンテナ４７で受信され、アンテナ共用器４６を介して第１受信部４４に入力される。第１受信部４４に入力された信号は、高周波増幅され、所定の中間周波数に変換され、更に、復調され、制御部４１に供給される。制御部４１で所定の信号処理がなされた後、音声符号化／復号化部４８で復号化され、スピーカ４９やレシーバ５１から音声出力される。
また、他の移動局４０からの直接通信による無線キャリア（周波数Ｆ２）は、アンテナ４７で受信され、アンテナ共用器４６を介して第２受信部４５に入力される。第２受信部４５に入力された信号は、高周波増幅され、所定の中間周波数に変換され、更に、復調され、制御部４１に供給される。制御部４１で所定の信号処理がなされた後、音声符号化／復号化部４８で復号化され、スピーカ４９やレシーバ５１から音声出力される。
【００２７】
（第１実施例）
次に、第１実施例として、本実施形態に係る移動局４０間の基地局通信動作について説明する。この場合は、前述した折り返し通信をおこなうので、実質的に、同時に一方向の送信のみが行われる単信通信となる。ここでは例として、図１に示す移動局４０（２）から移動局４０（５）への基地局通信動作について説明する。
先ず、送信元の移動局４０（２）の操作部５３を操作し、例えば、テンキー等で相手の移動局４０（５）の識別番号である相手先ＩＤ（相手先識別子）を入力又は選択して、ＰＴＴボタンを一旦押下すると、同期信号と個別呼出信号を送信部４３から送信する呼出動作を繰り返す。個別呼出信号には、相手先ＩＤと、送信元の移動局４０（２）の識別番号である送信元ＩＤ（送信元識別子）が含まれる。個別呼出信号は、移動局４０（２）の属する通信エリアの基地局３０（１）で受信される。
【００２８】
基地局３０（１）において、受信された個別呼出信号は、基地局３０（１）から無線で折り返し送信されるとともに、基地局３０（１）から回線制御装置２０を介し、指令台１０や他の基地局３０へ送信され、該他の基地局３０から無線で折り返し送信される。
【００２９】
基地局３０（１）から個別呼出信号を受信した相手先の移動局４０（５）は、個別呼出信号に含まれる相手先ＩＤが自局のＩＤと一致するので、着信音鳴動等の着信動作を行う。相手先以外の移動局４０や指令台１０は、個別呼出信号に含まれる相手先ＩＤが自局のＩＤと異なるので、個別呼出信号の着信動作を行わない。このとき、自局のＩＤと異なる個別呼出信号を受信した移動局４０は、送信動作が不能である送信ロック状態になる。ただし、指令台１０は送信ロック状態にならない。送信ロック状態であることは、移動局４０の表示部５４のＬＥＤ点灯等により、該移動局４０の操作者が認識することができる。
【００３０】
相手先移動局４０（５）で応答動作、例えばＰＴＴボタンの一旦押下が行われると、相手先移動局４０（５）は着信動作を停止し、相手先移動局４０（５）から同期信号と個別応答信号が送信される。個別応答信号には、この場合の相手先ＩＤと送信元ＩＤ、つまり、移動局４０（２）と移動局４０（５）のＩＤが含まれる。個別応答信号は、移動局４０（５）の属する通信エリアの基地局３０（１）で受信される。
【００３１】
基地局３０（１）において、受信された個別応答信号は、基地局３０（１）から無線で折り返し送信されるとともに、基地局３０（１）から回線制御装置２０を介し、他の基地局３０へ送信され、該他の基地局３０から無線で折り返し送信される。
【００３２】
送信元移動局４０（２）では、基地局３０（１）を介して移動局４０（５）から個別応答信号を受信すると、着信音鳴動等の呼出動作を停止し、移動局４０（５）との間で通話の同期が確立した通話状態となる。通話状態は、移動局４０（２）及び移動局４０（５）の表示部５４にＬＥＤ等により表示されるので、移動局４０（２）及び移動局４０（５）の操作者は、通話状態になったことを知ることができる。
【００３３】
通話状態になると、送信元移動局４０（２）では、ＰＴＴボタンが押下され、該ＰＴＴ押下された状態でマイク５２から音声入力されると、同期信号とＩＤ信号と音声信号を含む通話信号が生成され、該生成された通話信号を送信部４３から無線送信する。ＩＤ信号には、送信元である移動局４０（２）のＩＤが含まれる。このようにして、ＰＴＴボタン押下状態においてマイク５２から入力された音声が送信される。なお、同期信号中にＩＤ信号を含めるよう構成することもできる。
通話の同期が確立した通話状態においては、仮に同期信号やＩＤ信号が受信できなくとも音声信号を受信することは可能となる。
移動局４０（２）から送信された通話信号は、移動局４０（２）の属する通信エリアの基地局３０（１）で受信される。
【００３４】
基地局３０（１）において、受信された通話信号は、基地局３０（１）から無線で折り返し送信されるとともに、基地局３０（１）から回線制御装置２０を介し、他の基地局３０へ送信され、該他の基地局３０から無線で折り返し送信される。
【００３５】
通話信号を送信中の移動局４０（２）において、基地局３０（１）から折り返し送信された通話信号は、第１受信部４４で受信され、制御部４１を経て音声符号化／復号化部４８に入力されるが、ＳＷ１とＳＷ２が切断されているので、スピーカ４９やレシーバ５１から音声出力されない。すなわち、制御部４１は、受信中の通話信号に含まれる送信元ＩＤが自局の送信元ＩＤと同一であることから、受信中の通話信号が、自局から他の移動局宛に送信した通話信号であることを認識できるので、この場合は、ＳＷ１とＳＷ２を切断（ＯＦＦ）するように制御する。制御部４１は、通話状態になった後、音声送信のため自局のＰＴＴボタンが押下されている間は、ＳＷ１とＳＷ２を切断する。
また、制御部４１は、通話信号を受信中でない場合は、スピーカ４９とレシーバ５１は不要なので、スピーカ４９とレシーバ５１をＯＦＦ状態とするように制御する。
【００３６】
このように、受信中の通話信号に含まれる送信元ＩＤが自局の送信元ＩＤと同一である場合は、ＳＷ１を切断して、スピーカ４９から音声出力されないＯＦＦ状態とすることにより、ハウリングを防止できる。このハウリングは、自局のマイク５２に入力された音声信号が、基地局３０（１）で折り返し送信され、自局で受信されてスピーカ４９から音声出力され、スピーカ４９から出力された音声が再び自局のマイク５２に入力されることにより発生するものである。
また、受信中の通話信号に含まれる送信元ＩＤが自局の送信元ＩＤと同一である場合は、ＳＷ２を切断して、レシーバ５１から音声出力されないＯＦＦ状態とすることにより、話し辛さを防止できる。この話し辛さは、自局のマイク５２に入力された音声信号が、基地局３０（１）で折り返し送信され自局で受信されて、先のマイク５２への音声入力時点から遅延してレシーバ５１から音声出力される、つまり、発声した音声が遅延して聞こえることにより発生するものである。
なお、スピーカ４９からの音量が小さい場合は、ハウリングが発生する可能性は小さくなるが、上述のレシーバ５１と同様に、発声した音声がスピーカ４９から遅延して聞こえることによる話し辛さが発生する。この話し辛さは、ＳＷ１を切断して、スピーカ４９から音声出力されないＯＦＦ状態とすることにより防止できる。
【００３７】
なお、上述のように、自局が他の移動局４０（５）宛に基地局通信を行う場合、自局からの音声送信が終了、つまりＰＴＴボタンの押下を解除しても、基地局３０（１）で折り返すこと等による遅延により、短時間ではあるが、自局からの送信信号を受信することがある。この場合は、自局からの送信は終了しているため、ハウリングが発生することはないが、話し辛さの発生や違和感を感じるおそれがある。
したがって、受信中の通話信号に含まれる送信元ＩＤが自局の送信元ＩＤと同一である場合は、自局が送信中の状態でなくても、ＳＷ１とＳＷ２を切断して、スピーカ４９とレシーバ５１から音声出力されないＯＦＦ状態とするのが好ましい。
【００３８】
相手先移動局４０（５）においては、基地局３０（１）から折り返し送信された通話信号は、第１受信部４４で受信され、制御部４１から音声符号化／復号化部４８を経て、スピーカ４９やレシーバ５１から音声出力される。
移動局４０（５）においては、受信中の通話信号に含まれる送信元ＩＤは自局の送信元ＩＤではない。したがって、移動局４０（５）の制御部４１は、自局が送信中ではなく、ハウリングや話し辛さが発生するおそれがないので、ＳＷ１とＳＷ２を接続して、スピーカ４９とレシーバ５１から音声出力されるＯＮ状態とする。これにより、送信元の移動局４０（２）からの通話を聞くことができる。
また、制御部４１は、通話信号を受信中でない場合は、スピーカ４９とレシーバ５１をＯＦＦ状態とするように制御する。
【００３９】
通話状態にある移動局４０（２）と移動局４０（５）以外の他の移動局４０では、基地局３０（１）及び他の基地局３０から折返し信号を受信し、受信中の通話信号に含まれる送信元ＩＤが自局の送信元ＩＤと同一でないことから、受信中の通話信号が、自局から他の移動局宛に送信した通話信号でないことを認識できるので、スピーカ４９とレシーバ５１をＯＮ状態とする。
これらの他の移動局４０は、送信ロック状態にあるが、該送信ロック状態において、例えば、ＰＴＴボタンを押下する等のモニタ操作を行うことにより、移動局４０（２）からの音声信号をモニタする、つまり、スピーカ４９やレシーバ５１から音声出力することができる。
【００４０】
その後、相手先移動局４０（５）では、対話を行うため、例えば送信元移動局４０（２）からの音声が途切れたときに、ＰＴＴボタンが押下され、該ＰＴＴ押下した状態でマイク５２から音声入力され、同期信号とＩＤ信号と音声信号とを含む通話信号を送信部４３から無線送信する。ＩＤ信号には、送信元である移動局４０（５）のＩＤが含まれる。
【００４１】
移動局４０（５）から送信された通話信号は、移動局４０（５）の属する通信エリアの基地局３０（１）で受信される。
基地局３０（１）において、受信された通話信号は、基地局３０（１）から無線で折り返し送信されるとともに、基地局３０（１）から回線制御装置２０を介し、他の基地局３０へ送信され、該他の基地局３０から無線で折り返し送信される。
【００４２】
音声送信中の移動局４０（５）では、基地局３０（１）から折り返し信号を受信するが、前述した音声送信中の移動局４０（２）と同様に、受信中の通話信号に含まれる送信元ＩＤが自局の送信元ＩＤと同一であることから、受信中の通話信号が、自局から他の移動局宛に送信した通話信号であることを認識できるので、スピーカ４９とレシーバ５１をＯＦＦ状態とする。
以上説明したようにして、移動局４０（２）と移動局４０（５）との通話が行われる。
【００４３】
通話を終了するときは、通話状態にある送信元移動局４０（２）又は相手先移動局４０（５）において、操作部５３で終話ボタン押下等の終話操作を行うことにより、終話信号が同期信号とともに送信される。終話操作が行われた移動局又は終話信号を受信した移動局では、通話状態が解除され、通話状態に入る前の状態に戻る。
【００４４】
ところで、受信中の通話信号に含まれる送信元ＩＤは、通話信号中において音声信号よりも先頭にあり、例えば通話信号の先頭に配置される同期信号に含まれているが、同期信号中の送信元ＩＤがうまく受信できないために、送信元ＩＤが不明の場合がある。この場合は、受信中の通話信号が、自局が送信した通話信号であるか否かの区別がつかない。
このような場合、自局が送信中でなければハウリング発生のおそれがないので、自局が送信中でない状態のときは、ＳＷ１とＳＷ２を接続して、スピーカ４９とレシーバ５１から音声出力されるＯＮ状態とする。
自局が送信中の状態のときは、ハウリング発生のおそれがあるので、ＳＷ１を切断してスピーカ４９をＯＦＦ状態とし、ＳＷ２を接続してレシーバ５１を低減した音量でＯＮ状態とする。レシーバ５１を低減した音量でＯＮ状態とする理由は、自局が指令台１０との間で複信状態にある場合に、指令台１０からの通話を聞けるようにするためであるが、自局が送信した通話信号の折り返し信号を受信している可能性もあるので、低減した音量でレシーバをＯＮ状態とすることにより、自局の折り返し信号である場合の話し辛さを軽減しつつ、受信した音声が聞こえるようにする。ここで低減した音量とは、後述の受信した通話信号に含まれる送信元ＩＤが自局の送信元ＩＤと同一でない場合のレシーバの音量よりも低減した音量である。
【００４５】
次に、本実施形態に係る移動局４０と指令台１０間の基地局通信動作について説明する。この場合は、移動局４０と指令台１０間で同時に送受信を行う複信通信が可能となる。
（第２実施例）
最初に、第２実施例として、移動局４０（１）から指令台１０へ通話する場合について説明する。
先ず、送信元の移動局４０（１）の操作部５３を操作し、例えば、テンキー等で相手の指令台１０の識別番号である相手先ＩＤを入力又は選択して、ＰＴＴボタンを一旦押下すると、同期信号と個別呼出信号を送信部４３から送信する呼出動作を繰り返す。個別呼出信号には、相手先ＩＤと、送信元の移動局４０（１）の識別番号である送信元ＩＤが含まれる。個別呼出信号は、移動局４０（１）の属する通信エリアの基地局３０（１）で受信される。
【００４６】
基地局３０（１）において、受信された個別呼出信号は、基地局３０（１）から無線で折り返し送信されるとともに、基地局３０（１）から回線制御装置２０を介し、指令台１０や他の基地局３０へ送信され、該他の基地局３０から無線で折り返し送信される。
【００４７】
基地局３０（１）を介して個別呼出信号を受信した相手先の指令台１０は、個別呼出信号に含まれる相手先ＩＤが自局のＩＤと一致するので、着信音鳴動等の着信動作を行う。相手先以外の移動局４０は、個別呼出信号に含まれる相手先ＩＤが自局のＩＤと異なるので、個別呼出信号の着信動作を行わない。このとき、自局のＩＤと異なる個別呼出信号を受信した移動局４０は、第１実施例と同様の送信ロック状態になる。
【００４８】
指令台１０で応答動作、例えばＰＴＴボタンの一旦押下が行われると、指令台１０は着信動作を停止し、指令台１０から個別応答信号が送信される。個別応答信号には、この場合の相手先ＩＤと送信元ＩＤ、つまり、移動局４０（１）と指令台１０のＩＤが含まれる。個別応答信号は、回線制御装置２０を介して基地局３０（１）及び他の基地局３０から、同期信号とともに無線送信される。
【００４９】
送信元移動局４０（１）では、基地局３０（１）を介して指令台１０から個別応答信号を受信すると、着信音鳴動等の呼出動作を停止し、指令台１０との間で通話の同期が確立した通話状態となる。通話状態は、移動局４０（１）の表示部５４及び指令台１０の表示部１３にＬＥＤ等により表示されるので、移動局４０（１）及び指令台１０の操作者は、通話状態になったことを知ることができる。
また、他の移動局４０では、個別応答信号受信により、他者が通話通話状態になったことを認識し、その旨の表示を表示部５４に行う。
【００５０】
通話状態になると、送信元移動局４０（１）では、ＰＴＴボタンが押下され、該ＰＴＴ押下された状態でマイク５２から音声入力されると、同期信号とＩＤ信号と音声信号を含む通話信号が生成され、該生成された通話信号を送信部４３から無線送信する。ＩＤ信号には、送信元である移動局４０（１）のＩＤが含まれる。このようにして、ＰＴＴボタン押下状態においてマイク５２から入力された音声が送信される。
移動局４０（１）から送信された通話信号は、移動局４０（１）の属する通信エリアの基地局３０（１）で受信される。
【００５１】
基地局３０（１）において、当該基地局３０（１）が指令台１０からの通話信号を受信中でない場合は、移動局４０（１）から受信した通話信号は、基地局３０（１）から無線で折り返し送信されるとともに、基地局３０（１）から回線制御装置２０を介し、指令台１０と他の基地局３０へ送信され、該他の基地局３０から無線で折り返し送信される。
当該基地局３０（１）が指令台１０からの通話信号を受信中の場合は、移動局４０（１）から受信した通話信号は、基地局３０（１）及び他の基地局３０から折り返し送信されず、回線制御装置２０を介し指令台１０へ送信される、つまり複信通信が行われる。
【００５２】
指令台１０では、基地局３０（１）を介して移動局４０（１）から受信した通話信号の内容がスピーカ１５から音声出力され、操作者は、移動局４０（１）からの通話内容を聞くことができる。これに対し、操作者がマイク１６を用いて音声入力し通話応答を行うと、マイク１６から入力される音声信号は、ＩＤ信号とともに、回線制御装置２０を介して基地局３０（１）及び他の基地局３０へ送信される。このＩＤ信号には、送信元の指令台ＩＤが含まれる。それから、同期信号とＩＤ信号と音声信号を含む通話信号が、基地局３０（１）及び他の基地局３０から無線送信される。
なお、上述したように、指令台１０では、送信元移動局４０（１）からの通話信号の有無に拘らず、ＰＴＴボタンを押下し、該ＰＴＴボタン押下状態でマイク１６から音声入力し、ＩＤ信号と音声信号を含む通話信号を送信する複信通信を行うことができる。
【００５３】
移動局４０（１）において、基地局３０（１）から送信された指令台１０からの通話信号は、第１受信部４４で受信され、制御部４１から音声符号化／復号化部４８を経て、レシーバ５１から音声出力される。このようにして、指令台１０の操作者からの音声をレシーバ５１で聞くことができる。
このとき、移動局４０（１）の制御部４１は、受信中の通話信号に含まれる送信元ＩＤが指令台１０のＩＤであり、自局の送信元ＩＤと同一ではないことから、自局が音声送信中（ＰＴＴボタン押下中）のときは、ＳＷ２を接続し、レシーバ５１を音声出力されるＯＮ状態とする一方、ＳＷ１を切断し、スピーカ４９を音声出力されないＯＦＦ状態とするように制御する。
スピーカ４９をＯＦＦ状態とする理由は、スピーカ４９をＯＮ状態とすると、スピーカ４９から出力された指令台１０の操作者の声が、移動局４０（１）のマイク５２から入力され、指令台１０へ送信されて、指令台１０のスピーカ１５から出力され、再び指令台１０のマイク１６へ入力されることにより、ハウリングが発生するおそれがあるからである。
【００５４】
また、移動局４０（１）の制御部４１は、自局が音声送信中でないときは（ＰＴＴボタン押下を解除中）、ハウリングが発生するおそれがないことから、ＳＷ１とＳＷ２を接続して、スピーカ４９とレシーバ５１を音声出力されるＯＮ状態とするように制御する。
また、移動局４０（１）の制御部４１は、指令台１０からの通話信号を受信中でない場合は、スピーカ４９とレシーバ５１をＯＦＦ状態とするように制御する。
【００５５】
送信元以外の他の移動局４０（２），（３），（５）においては、基地局３０から送信された通話信号は、第１受信部４４で受信され、受信中の通話信号に含まれる送信元ＩＤが自局の送信元ＩＤと同一でないことから、受信中の通話信号が、自局から送信した通話信号でないことを認識できるので、ＳＷ１とＳＷ２を接続して、スピーカ４９とレシーバ５１を音声出力されるＯＮ状態とするように制御する。
これらの他の移動局４０は、送信ロック状態にあるが、該送信ロック状態において、例えば、ＰＴＴボタンを押下する等のモニタ操作を行うことにより、指令台１０や移動局４０（１）からの音声信号をモニタする、つまり、スピーカ４９やレシーバ５１から音声出力することができる。このようにして、指令台１０と移動局４０（１）間の通話をモニタすることができる。
また、他の移動局４０においては、通話信号を受信中でない場合は、スピーカ４９とレシーバ５１をＯＦＦ状態とするように制御する。
【００５６】
通話を終了するときは、前述した第１実施例と同様に、送信元移動局４０（１）又は指令台１０において、終話ボタン押下等の終話操作を行うことにより、終話信号が同期信号とともに送信される。終話操作が行われると、移動局４０（１）及び指令台１０では通話状態が解除され、通話状態に入る前の状態に戻る。
【００５７】
（第３実施例）
次に、第３実施例として、指令台１０から移動局４０（１）へ通話する場合について説明する。
先ず、送信元の指令台１０の操作部１４を操作し、例えば、テンキー等で相手の移動局４０（１）の識別番号である相手先ＩＤを入力又は選択して、ＰＴＴボタンを一旦押下すると、個別呼出信号が、回線制御装置２０を介して基地局３０から同期信号とともに無線送信される。基地局３０は、同期信号と個別呼出信号を送信部４３から送信する呼出動作を繰り返す。個別呼出信号には、相手先ＩＤと、送信元の指令台１０の識別番号である送信元ＩＤが含まれる。
【００５８】
基地局３０（１）を介して個別呼出信号を受信した相手先の移動局４０（１）は、個別呼出信号に含まれる相手先ＩＤが自局のＩＤと一致するので、着信音鳴動等の着信動作を行う。相手先以外の移動局４０は、個別呼出信号に含まれる相手先ＩＤが自局のＩＤと異なるので、個別呼出信号の着信動作を行わない。このとき、自局のＩＤと異なる個別呼出信号を受信した移動局４０は、第１実施例と同様の送信ロック状態になる。
【００５９】
移動局４０（１）で応答動作、例えばＰＴＴボタンの一旦押下が行われると、移動局４０（１）は着信動作を停止し、移動局４０（１）から個別応答信号が同期信号とともに無線送信される。個別応答信号には、この場合の相手先ＩＤと送信元ＩＤ、つまり、指令台１０と移動局４０（１）のＩＤが含まれる。個別応答信号は、基地局３０（１）で受信される。
【００６０】
基地局３０（１）において、受信された個別呼出信号は、基地局３０（１）から無線で折り返し送信されるとともに、基地局３０（１）から回線制御装置２０を介し、指令台１０や他の基地局３０へ送信され、該他の基地局３０から無線で折り返し送信される。
【００６１】
指令台１０では、移動局４０（１）から個別応答信号を受信すると、着信音鳴動等の呼出動作を停止し、移動局４０（１）との間で通話の同期が確立した通話状態となる。通話状態は、移動局４０（１）の表示部５４及び指令台１０の表示部１３にＬＥＤ等により表示されるので、移動局４０（１）及び指令台１０の操作者は、通話状態になったことを知ることができる。
また、他の移動局４０では、個別応答信号受信により、他者が通話通話状態になったことを認識し、その旨の表示を表示部５４に行う。
【００６２】
通話状態になると、指令台１０では、ＰＴＴボタンが押下され、該ＰＴＴ押下された状態でマイク１６から音声入力されると、ＩＤ信号と音声信号を含む通話信号を、回線制御装置２０を介して各基地局３０から無線送信する。ＩＤ信号には、送信元である指令台１０のＩＤが含まれる。このようにして、ＰＴＴボタン押下状態においてマイク１６から入力された音声が送信される。
【００６３】
移動局４０（１）においては、基地局３０（１）を介して指令台１０から送信された通話信号は、第１受信部４４で受信され、制御部４１から音声符号化／復号化部４８を経て、レシーバ５１から音声出力される。
このとき、移動局４０（１）の制御部４１は、自局が音声送信中（自局のＰＴＴボタン押下中）の場合は、受信中の通話信号に含まれる送信元ＩＤが自局のＩＤではないことから、ＳＷ２を接続してレシーバ５１から音声出力されるＯＮ状態とする一方、ＳＷ１は切断してスピーカ４９から音声出力されないＯＦＦ状態とするように制御する。スピーカ４９をＯＦＦ状態とする理由は、第２実施例で説明したようにハウリング発生を防止するためである。
【００６４】
また、移動局４０（１）の制御部４１は、自局が音声送信中でない（ＰＴＴボタン押下を解除中）場合は、ハウリングが発生するおそれがないことから、ＳＷ１とＳＷ２を接続して、スピーカ４９とレシーバ５１を音声出力されるＯＮ状態とするように制御する。
また、制御部４１は、通話信号を受信中でない場合は、スピーカ４９とレシーバ５１をＯＦＦ状態とするように制御する。
【００６５】
相手先以外の他の移動局４０（２），（３），（５）においては、これらの他の移動局４０は、送信ロック状態にあるが、該送信ロック状態において、例えば、ＰＴＴボタンを押下する等のモニタ操作を行うことにより、指令台１０や移動局４０（１）からの音声信号をモニタする、つまり、スピーカ４９やレシーバ５１から音声出力することができる。このようにして、指令台１０と移動局４０（１）間の通話をモニタすることができる。
このとき、相手先以外の他の移動局４０（２），（３），（５）では、自局が送信中でなく、受信中の通話信号に含まれる送信元ＩＤが自局のＩＤではないことから、ＳＷ１とＳＷ２を接続して、スピーカ４９とレシーバ５１を音声出力されるＯＮ状態とするように制御する。
また、他の移動局４０においては、通話信号を受信中でない場合は、スピーカ４９とレシーバ５１をＯＦＦ状態とするように制御する。
【００６６】
通話を終了するときは、前述した第２実施例と同様に、送信元移動局４０（１）又は指令台１０において、終話ボタン押下等の終話操作を行う。
【００６７】
（第４実施例）
次に、第４実施例として、本実施形態に係る移動局４０間の直接通信動作について説明する。この場合は、同時に一方向の送信のみを行う単信通信となる。ここでは例として、図１に示す移動局４０（３）から移動局４０（４）への直接通信動作について説明する。
先ず、送信元の移動局４０（３）の操作部５３を操作し、例えば、テンキー等で相手の移動局４０（４）の識別番号である相手先ＩＤを入力又は選択して、ＰＴＴボタンを一旦押下すると、同期信号と個別呼出信号を送信部４３から送信する呼出動作を繰り返す。個別呼出信号には、相手先ＩＤと、送信元の移動局４０（４）の識別番号である送信元ＩＤが含まれる。
【００６８】
相手先の移動局４０（４）では、移動局４０（３）からの個別呼出信号を、第２受信部４５で受信する。移動局４０（４）は、個別呼出信号に含まれる相手先ＩＤが自局のＩＤと一致するので、着信音鳴動等の着信動作を行う。相手先以外の移動局４０は、個別呼出信号に含まれる相手先ＩＤが自局のＩＤと異なるので、個別呼出信号の着信動作を行わない。このとき、自局のＩＤと異なる個別呼出信号を受信した移動局４０は、上述した第１実施例等とは異なり、送信ロック状態にはならないようにしてもよい。これは、他の移動局４０が移動局間直接通信中において、基地局３０を介した通話を行えるようにするためである。
【００６９】
相手先移動局４０（４）で応答動作、例えばＰＴＴボタンの一旦押下が行われると、相手先移動局４０（４）は着信動作を停止し、相手先移動局４０（４）から同期信号と個別応答信号が送信される。個別応答信号には、この場合の相手先ＩＤと送信元ＩＤ、つまり、移動局４０（３）と移動局４０（４）のＩＤが含まれる。
【００７０】
送信元移動局４０（３）では、移動局４０（４）からの個別呼出信号を、第２受信部４５で受信すると、着信音鳴動等の呼出動作を停止し、移動局４０（４）との間で通話の同期が確立した通話状態となる。通話状態は、移動局４０（３）及び移動局４０（４）の表示部５４にＬＥＤ等により表示されるので、移動局４０（３）及び移動局４０（４）の操作者は、通話状態になったことを知ることができる。
【００７１】
通話状態になると、送信元移動局４０（３）では、ＰＴＴボタンが押下され、該ＰＴＴ押下された状態でマイク５２から音声入力されると、同期信号とＩＤ信号と音声信号を含む通話信号を送信部４３から無線送信する。ＩＤ信号には、送信元である移動局４０（３）のＩＤが含まれる。このようにして、ＰＴＴボタン押下状態においてマイク５２から入力された音声が送信される。
【００７２】
宛先の移動局４０（４）においては、送信元の移動局４０（３）から送信された通話信号は、第２受信部４５で受信され、制御部４１から音声符号化／復号化部４８を経て、スピーカ４９やレシーバ５１から音声出力される。
このとき、移動局４０（４）は、自局が送信中でなく、受信中の通話信号に含まれる送信元ＩＤが自局のＩＤではないことから、ＳＷ１とＳＷ２を接続して、スピーカ４９とレシーバ５１を音声出力されるＯＮ状態とする。すなわち、移動局間直接通信は単信通信であるので、スピーカ４９とレシーバ５１から音声出力されるＯＮ状態としても、ハウリングや話し辛さが発生するおそれがない。
また、移動局４０（４）は、通話信号を受信中でない場合は、スピーカ４９とレシーバ５１は不要なので、スピーカ４９とレシーバ５１をＯＦＦ状態とする。
【００７３】
その後、相手先移動局４０（４）では、対話を行うため、送信元移動局４０（３）からの音声が途切れたときに、ＰＴＴボタンが押下され、該ＰＴＴ押下した状態でマイク５２から音声入力され、同期信号とＩＤ信号と音声信号を含む通話信号を送信部４３から無線送信する。ＩＤ信号には、送信元である移動局４０（４）のＩＤが含まれる。
【００７４】
移動局４０（４）から送信された通話信号は、移動局４０（３）の第２受信部４５で受信され、制御部４１から音声符号化／復号化部４８を経て、スピーカ４９やレシーバ５１から音声出力される。
このようにして、移動局４０（３）と移動局４０（４）の間の直接通信が行われる。
【００７５】
また、直接通信対象外の他の移動局４０（１），（２），（５）においては、例えば、ＰＴＴボタンを押下する等のモニタ操作を行うことにより、移動局４０（３）や移動局４０（４）からの音声信号をモニタする、つまり、スピーカ４９やレシーバ５１から音声出力することができる。このようにして、移動局４０間の直接通話をモニタすることができる。
このとき、直接通信対象外の移動局４０（１），（２），（５）では、自局が送信中でなく、受信中の通話信号に含まれる送信元ＩＤが自局のＩＤではないことから、ＳＷ１とＳＷ２を接続して、スピーカ４９とレシーバ５１を音声出力されるＯＮ状態とするように制御する。
また、移動局４０（１），（２），（５）においては、通話信号を受信中でない場合は、スピーカ４９とレシーバ５１をＯＦＦ状態とするように制御する。
【００７６】
通話を終了するときは、前述した第１実施例と同様に、移動局４０（３）又は移動局４０（４）において、終話ボタン押下等の終話操作を行う。
【００７７】
以上説明した移動局の動作を図４に示す。図４は、本実施形態に係る移動局の動作を示す図である。
（１）移動局が受信中の通話信号に含まれる送信元ＩＤ（つまり発信元ＩＤ）が自局の送信元ＩＤと同一であって、当該移動局が送信中である場合とは、前述した移動局間の基地局通信又は移動局と指令台間の基地局通信において、送信元の移動局からの通話信号が基地局で折り返し送信される場合である。
この場合、スピーカ４９とレシーバ５１をＯＦＦ状態とする。スピーカ４９をＯＦＦ状態とすることにより、自局のマイク５２に入力された音声が基地局３０で折り返しされることに起因するハウリングや話し辛さを防止できる。また、レシーバ５１をＯＦＦ状態とすることにより、自局のマイク５２に入力された音声が基地局３０で折り返しされレシーバ５１から遅延して聞こえることにより発生する話し辛さを防止できる。
【００７８】
（２）移動局が受信中の通話信号に含まれる送信元ＩＤが自局の送信元ＩＤでなく、当該移動局が送信中である場合とは、前述した移動局と指令台間の基地局通信における送信中の移動局が、送信と同時に指令台から通話信号を受信する場合である。
この場合、スピーカ４９をＯＦＦ状態としてハウリング発生を防止しつつ、レシーバ５１をＯＮ状態として指令台１０との複信通信を行うことができる。
【００７９】
（３）移動局が受信中の通話信号に含まれる送信元ＩＤが自局の送信元ＩＤと同一であるか否か不明であって、当該移動局が送信中である場合とは、上述の（１）又は（２）の場合である。
上述の（１）であった場合に備え、ハウリング発生のおそれがあるのでスピーカ４９をＯＦＦ状態とし、話し辛さを防止するためレシーバ５１の音量を低減状態とする。また、上述の（２）であった場合に備え、指令台１０からの通話を聞く必要があるので、レシーバ５１の音量を低減状態としつつ、レシーバ５１をＯＮ状態とする。この低減状態とは、上述の（２）の場合におけるレシーバ５１の音量よりも小さい状態である。これにより、ハウリングを発生させることなく指令台１０からの通話を聞くことができる。
【００８０】
（４）移動局が受信中の通話信号に含まれる送信元ＩＤが自局の送信元ＩＤと同一であって、当該移動局が送信中でない場合とは、当該移動局が送信停止後に、当該移動局からの通話信号が基地局で遅延して折り返し送信される場合である。
この場合、スピーカ４９とレシーバ５１をＯＦＦ状態とする。スピーカ４９とレシーバ５１をＯＦＦ状態とすることにより、自局のマイク５２に入力された音声が基地局３０で遅延して折り返しされることに起因する話し辛さや違和感の発生を防止できる。
【００８１】
（５）移動局が受信中の通話信号に含まれる送信元ＩＤが自局の送信元ＩＤでなく、当該移動局が送信中でない場合とは、前述した移動局間の基地局通信、又は移動局と指令台間の基地局通信、あるいは移動局間の直接通信における、受信中又はモニタ中の移動局が通話信号を受信する場合である。
この場合は、ハウリングや話し辛さ発生のおそれがないので、スピーカ４９とレシーバ５１をＯＮ状態とする。
【００８２】
（６）移動局が受信中の通話信号に含まれる送信元ＩＤが自局の送信元ＩＤと同一であるか不明であって、当該移動局が送信中でない場合とは、上述の（４）又は（５）の場合である。
この場合は、他の移動局などからの音声の可能性があるため、スピーカ４９とレシーバ５１をＯＮ状態とする。
【００８３】
（７）移動局４０が受信中でない場合は、ハウリングや話し辛さ発生のおそれがないので、自局が送信中の状態のときも、自局が送信中の状態でないときも、スピーカ４９とレシーバ５１をＯＦＦ状態とする。
【００８４】
本実施形態によれば、少なくとも次の（１）〜（５）の効果を得ることができる。
（１）受信中の通話信号に含まれる送信元ＩＤが自局の送信元ＩＤと同一であって、受信中の移動局が送信中である場合、当該移動局において、送信中にスピーカとレシーバをＯＦＦ状態とすることにより、ハウリングと話し辛さを防止することができる。
（２）受信中の通話信号に含まれる送信元ＩＤが自局の送信元ＩＤと同一であって、受信中の移動局が送信中でない場合、スピーカとレシーバをＯＦＦ状態とすることにより、話し辛さや違和感の発生を防止することができる。
（３）受信中の通話信号に含まれる送信元ＩＤが自局の送信元ＩＤでなく、当該移動局が送信中の場合、つまり、移動局と指令台間の基地局通信における送信中の移動局が、送信と同時に指令台から通話信号を受信する場合、スピーカ４９をＯＦＦ状態としてハウリング発生を防止し、レシーバ５１をＯＮ状態として指令台１０からの通話を聞くことができる。
【００８５】
（４）受信中の通話信号に含まれる送信元ＩＤが自局の送信元ＩＤでなく、当該移動局が送信中でない場合、受信中の移動局において、ハウリングや話し辛さ発生のおそれがないので、スピーカとレシーバをＯＮ状態とすることにより、他の移動局からの通話を聞くことができる。
（５）受信中の通話信号に含まれる送信元ＩＤが不明であって、当該移動局が送信中の場合、自局が送信した通話信号の折り返し信号であるか、又は指令台からの通話信号である可能性があるので、当該移動局において、スピーカをＯＦＦ状態とすることによりハウリングを防止し、低減した音量でレシーバをＯＮ状態とすることにより、自局の折り返し信号である場合の話し辛さを軽減しつつ、指令台からの音声を聞くことができる。
【００８６】
なお、本発明は、前記実施形態に限定されるものではなく、その要旨を逸脱しない範囲で種々に変更が可能であることはいうまでもない。
前記実施形態では、通話信号の折り返しの当否を基地局で判断し基地局で折り返すようにしたが、回線制御装置で折り返しの当否を判断し、回線制御装置で折り返すように構成することもできる。
また、前記実施形態では、移動局間直接通信の周波数を基地局通信の上り周波数と同一の周波数としたが、異なる周波数とするように構成することもできる。
また、例えば基地局が１つの場合は、指令台と回線制御装置の機能を基地局に組み込むように構成することもできる。
また、本発明は、本発明に係る処理を実行するシステムとしてだけでなく、装置、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【００８７】
本明細書には、少なくとも次の発明が含まれる。
第１の発明は、
音声出力するスピーカをそれぞれ有する複数の移動局と、前記複数の移動局と無線で接続される基地局とを備え、前記複数の移動局間において前記基地局を介して通話信号が交信され、該通話信号には音声信号と送信元の移動局を特定する送信元識別子とが含まれるよう構成された無線通信システムであって、
前記基地局は、
第１の周波数を用いて前記移動局に通話信号を送信し、前記第１の周波数と異なる第２の周波数を用いて前記移動局から通話信号を受信し、
前記基地局を介する移動局間の通話において、送信元の移動局からの前記第２の周波数を用いた通話信号を受信して、該受信した通話信号に対する折り返し信号を、前記第１の周波数を用いて送信するように構成され、
前記移動局は、
前記基地局を介して受信した通話信号に含まれる送信元識別子が自局の送信元識別子と同一である場合は、自局のスピーカからの音声出力を切断することを特徴とする無線通信システム。
【００８８】
第２の発明は、第１の発明における無線通信システムであって、
前記無線通信システムは、前記基地局を介して前記移動局と通話信号を交信し、音声出力するスピーカを有する指令台を更に備え、前記移動局又は前記指令台が送信する通話信号には音声信号と送信元の移動局又は指令台を特定する送信元識別子とが含まれるよう構成され、
前記基地局は、
前記移動局と前記指令台との間の通話の場合は、送信元の移動局からの前記第２の周波数を用いた通話信号を受信して該受信した通話信号を前記指令台へ送信するとともに、前記指令台からの通話信号を受信中でないときは、前記移動局から受信した通話信号に対する折り返し信号を前記第１の周波数を用いて送信し、前記指令台からの通話信号を受信中のときは、前記折り返し信号の送信を行わずに、前記指令台から受信した通話信号を前記第１の周波数を用いて前記移動局に送信するように構成され、
前記移動局は、
前記基地局を介して受信した通話信号に含まれる送信元識別子が自局の送信元識別子と同一である場合は、自局のスピーカからの音声出力を切断することを特徴とする無線通信システム。
【００８９】
第３の発明は、
前記第２の発明における無線通信システムであって、
前記移動局は、
前記スピーカと前記スピーカよりも小音量で音声出力するレシーバを有し、
前記基地局を介して受信した通話信号に含まれる送信元識別子が自局の送信元識別子と異なる場合において、自局が送信中の状態にある場合は、自局のスピーカからの音声出力を切断し自局のレシーバからの音声出力を行い、自局が送信中の状態にない場合は、自局のスピーカおよびレシーバからの音声出力を行うことを特徴とする無線通信システム。
【００９０】
第４の発明は、
前記第３の発明における無線通信システムであって、
前記移動局は、前記基地局を介して受信した通話信号に含まれる送信元識別子が自局の送信元識別子と同一であるか否か不明の場合において、自局が送信中の状態にある場合は、自局のスピーカからの音声出力を切断し、自局のレシーバからの音声出力の音量を、前記受信した通話信号に含まれる送信元識別子が自局の送信元識別子と異なる場合のレシーバの音量よりも低減し、自局が送信中の状態にない場合は、レシーバの音量を低減することなく自局のスピーカおよびレシーバからの音声出力を行うことを特徴とする無線通信システム。
【００９１】
第５の発明は、
前記第２の発明ないし第４の発明における無線通信システムであって、
前記無線通信システムは、前記基地局および前記指令台と接続され、前記基地局を介しての前記移動局間の通話回線と、前記移動局と前記指令台との間の通話回線とを切替制御する回線制御装置を更に備えることを特徴とする無線通信システム。
【００９２】
第６の発明は、第１の発明〜第３の発明を組み合わせたもので、
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局又は前記指令台が送信する通話信号には音声信号と送信元の移動局又は指令台を特定する送信元識別子とが含まれるよう構成された無線通信システムであって、
前記基地局は、
第１の周波数を用いて前記移動局に通話信号を送信し、前記第１の周波数と異なる第２の周波数を用いて前記移動局から通話信号を受信するととともに、
前記基地局を介する移動局間の通話の場合は、送信元の移動局からの前記第２の周波数を用いた通話信号に対する折り返し信号を、前記第１の周波数を用いて送信し、
前記移動局と前記指令台との間の通話の場合は、送信元の移動局からの前記第２の周波数を用いた通話信号を受信して該受信した通話信号を前記指令台へ送信するとともに、前記指令台からの通話信号を受信中でないときは、前記移動局から受信した通話信号に対する折り返し信号を前記第１の周波数を用いて送信し、前記指令台からの通話信号を受信中のときは、前記折り返し信号の送信を行わずに、前記指令台から受信した通話信号を前記第１の周波数を用いて前記移動局に送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合において、自局が送信中の状態にある場合は、自局のスピーカからの音声出力を切断し自局のレシーバからの音声出力を行い、自局が送信中の状態にない場合は、自局のスピーカおよびレシーバからの音声出力を行うことを特徴とする無線通信システム。
【００９３】
第７の発明は、
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局が送信する通話信号には音声信号と送信元の移動局を特定する送信元識別子とが含まれるよう構成された無線通信システムであって、
前記基地局を介する移動局間の通話を行う場合において、
前記基地局は、
第１の周波数を用いて前記移動局に通話信号を送信し、前記第１の周波数と異なる第２の周波数を用いて前記移動局から通話信号を受信するととともに、
送信元の移動局からの前記第２の周波数を用いた通話信号に対する折り返し信号を、前記第１の周波数を用いて送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合は、自局のスピーカおよびレシーバからの音声出力を行うことを特徴とする無線通信システム。
【００９４】
第８の発明は、
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局又は前記指令台が送信する通話信号には音声信号と送信元の移動局又は指令台を特定する送信元識別子とが含まれるよう構成された無線通信システムであって、
前記移動局と前記指令台との間の通話を行う場合において、
前記基地局は、
第１の周波数を用いて前記移動局に通話信号を送信し、前記第１の周波数と異なる第２の周波数を用いて前記移動局から通話信号を受信し、
送信元の移動局からの前記第２の周波数を用いた通話信号を受信して該受信した通話信号を前記指令台へ送信するとともに、前記指令台からの通話信号を受信中でないときは、前記移動局から受信した通話信号に対する折り返し信号を前記第１の周波数を用いて送信し、前記指令台からの通話信号を受信中のときは、前記折り返し信号の送信を行わずに、前記指令台から受信した通話信号を前記第１の周波数を用いて前記移動局に送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合において、自局が送信中の状態にある場合は、自局のスピーカからの音声出力を切断し自局のレシーバからの音声出力を行い、自局が送信中の状態にない場合は、自局のスピーカおよびレシーバからの音声出力を行うことを特徴とする無線通信システム。
【００９５】
第９の発明は、
音声出力するスピーカと該スピーカよりも小音量で音声出力するレシーバをそれぞれ有する複数の移動局と、前記複数の移動局と無線で接続される基地局と、前記基地局を介して前記移動局と通話信号を交信し、音声出力するスピーカを有する指令台とを備え、前記移動局又は前記指令台が送信する通話信号には音声信号と送信元の移動局又は指令台を特定する送信元識別子とが含まれるよう構成された無線通信システムに用いられる移動局であって、
前記基地局は、
第１の周波数を用いて前記移動局に通話信号を送信し、前記第１の周波数と異なる第２の周波数を用いて前記移動局から通話信号を受信するととともに、
前記基地局を介する移動局間の通話の場合は、送信元の移動局からの前記第２の周波数を用いた通話信号に対する折り返し信号を、前記第１の周波数を用いて送信し、
前記移動局と前記指令台との間の通話の場合は、送信元の移動局からの前記第２の周波数を用いた通話信号を受信して該受信した通話信号を前記指令台へ送信するとともに、前記指令台からの通話信号を受信中でないときは、前記移動局から受信した通話信号に対する折り返し信号を前記第１の周波数を用いて送信し、前記指令台からの通話信号を受信中のときは、前記折り返し信号の送信を行わずに、前記指令台から受信した通話信号を前記第１の周波数を用いて前記移動局に送信するように構成され、
前記移動局は、
前記基地局を介して受信した通話信号に含まれる送信元識別子が自局の送信元識別子と同一である場合は、自局のスピーカとレシーバからの音声出力を切断し、
前記基地局を介して受信した通話信号に含まれる送信元識別子が自局の送信元識別子と異なる場合において、自局が送信中の状態にある場合は、自局のスピーカからの音声出力を切断し自局のレシーバからの音声出力を行い、自局が送信中の状態にない場合は、自局のスピーカおよびレシーバからの音声出力を行うことを特徴とする移動局。
【符号の説明】
【００９６】
１・・通信ゾーン、４，５・・伝送路、１０・・指令台、１１・・指令台制御部、１２・・指令台記憶部、１３・・指令台表示部、１４・・指令台操作部、１５・・スピーカ、１６・・マイク、２０・・回線制御装置、２１・・回線制御装置制御部、２２・・回線制御装置記憶部、３０・・基地局、３１・・基地局制御部、３２・・基地局記憶部、３３・・基地局送信部、３４・・基地局受信部、４０・・移動局、４１・・移動局制御部、４２・・移動局記憶部、４３・・送信部、４４・・第１受信部、４５・・第２受信部、４６・・アンテナ共用器、４７・・アンテナ、４８・・音声符号化／復号化部、４９・・スピーカ、５０・・ハンドセット、５１・・レシーバ、５２・・マイク、５３・・移動局操作部、５４・・移動局表示部、５５・・可変抵抗。
【図１】
0005739280.tif 000002
【図２】
0005739280.tif 000003
【図３】
0005739280.tif 000004
【図４】
0005739280.tif 000005